(57)【特許請求の範囲】
【請求項１】
肩部（３）を介して口部（４）が突設された容器本体（１）と、該容器本体（１）とは異材質で形成された肩カバー（１１）とを備え、肩カバー（１１）に口部（４）に対応する挿通孔（１４）が設けられ、肩カバー（１１）が、挿通孔（１４）を介して口部（４）に挿通されて容器本体（１）の肩部（３）に装着された容器において、
口部（４）の基端側に係止部（１５）が外方突設され、肩カバー（１１）の挿通孔（１４）の開口縁部に、肩カバー（１１）の容器本体（１）の肩部（３）への装着状態を保持すべく係止部（１５）に係脱自在に係合する係合片（１６）が設けられ、前記係合片（１６）は、肩カバー（１１）を容器本体（１）の肩部（３）に装着する際に係止部（１５）を乗り越えて該係止部（１５）に係合するように外方に弾性変形自在に形成され、
前記係合片（１６）は、肩カバー（１１）の挿通孔（１４）の開口縁部に連結された基部（１７）と、挿通孔（１４）の開口縁部から切り離された状態で基部（１７）から挿通孔（１４）の開口縁に沿って円弧状に突出した係合部（１８）とを有し、係合片（１６）の係合部（１８）側が基部（１７）から弾性変形により外方に屈曲可能に構成されていることを特徴とする容器。
【請求項２】
肩カバー（１１）を容器本体（１）の肩部（３）に装着する際に、係合片（１６）を外方に弾性変形させて係止部（１５）を乗り越えさせる傾斜案内部（１９）が、口部（４）に設けられていることを特徴とする請求項１に記載の容器。
【発明の詳細な説明】
【０００１】
【発明の属する技術分野】
本発明は、容器本体の肩部に、該容器本体とは異材質で形成された肩カバーが装着された容器に関する。
【０００２】
【従来の技術】
ガラス瓶やスプレー缶等の容器には、美観、耐衝撃性、安定性を高める等の理由から瓶や缶により形成した容器本体の肩部に、合成樹脂等の該容器本体とは異材質で形成した肩カバーを、装着するようにしたものがある。この肩カバーは、容器を使用している間は、容器本体から不測に外れないように容器本体に対して強固に取り付けておく必要があるが、ゴミの分別収集や資源の再利用のため、容器の使用後には、容器本体とは異材質で形成された肩カバーを容器本体から分離させる必要が生じている。
【０００３】
そこで、この種の従来の容器には、図９に示すように容器本体５１と、異材質で形成された肩カバー５２との間に、板状部材の挿入を許容する隙間５３を形成し、この隙間５３にコインやマイナスドライバー等の板状部材５４を挿入してこじることによって、肩カバー５２を容器本体５１から比較的簡単に分離できるようにしたものがある（例えば特開平９−６６９４１、特開平９−２８６４３９）。
【０００４】
【発明が解決しようとする課題】
しかし、従来では、肩カバー５２を容器本体５１から分離する際に、コインやマイナスドライバー等を用いる必要があり、この点から肩カバー５２を容器本体５１から分離する作業が非常に面倒であった。
本発明は、上記問題点に鑑み、肩カバーを容器本体の肩部に簡単かつ確実に装着できると共に、コインやマイナスドライバー等の特別の用具を用いることなく肩カバーを容器本体から簡単に分離することができるようにしたものである。
【０００５】
【課題を解決するための手段】
この技術的課題を解決するための本発明の第１の技術的手段は、肩部３を介して口部４が突設された容器本体１と、該容器本体１とは異材質で形成された肩カバー１１とを備え、肩カバー１１に口部４に対応する挿通孔１４が設けられ、肩カバー１１が、挿通孔１４を介して口部４に挿通されて容器本体１の肩部３に装着された容器において、
口部４の基端側に係止部１５が外方突設され、肩カバー１１の挿通孔１４の開口縁部に、肩カバー１１の容器本体１の肩部３への装着状態を保持すべく係止部１５に係脱自在に係合する係合片１６が設けられ、前記係合片１６は、肩カバー１１を容器本体１の肩部３に装着する際に係止部１５を乗り越えて該係止部１５に係合するように外方に弾性変形自在に形成され、
前記係合片１６は、肩カバー１１の挿通孔１４の開口縁部に連結された基部１７と、挿通孔１４の開口縁部から切り離された状態で基部１７から挿通孔１４の開口縁に沿って円弧状に突出した係合部１８とを有し、係合片１６の係合部１８側が基部１７から弾性変形により外方に屈曲可能に構成されている点にある。
【０００６】
従って、肩カバー１１を容器本体１の肩部３に装着する場合、肩カバー１１を、挿通孔１４を介して口部４に挿通して、容器本体１の肩部３に押し込めばよく、係合片１６が外方に弾性変形しながら係止部１５を乗り越えて該係止部１５に係合する。従って、容器を使用する前乃至使用する際には、係合片１６の係止部１５への係合によって、肩カバー１１は肩部３に装着された状態に強固に保持される。
そして、容器を使用した後にこの容器を廃棄等する際には、係合片１６を外方に弾性変形して、係合片１６の係止部１５への係合を外し、この状態で肩カバー１１を肩部３から抜けばよく、コインやマイナスドライバー等の特別の用具を用いることなく肩カバー１１を容器本体１から簡単に分離することができる。
【０００７】
本発明の第２の技術的手段は、肩カバー１１を容器本体１の肩部３に装着する際に、係合片１６を外方に弾性変形させて係止部１５を乗り越えさせる傾斜案内部１９が、口部４に設けられている点にある。
従って、肩カバー１１を容器本体１の肩部３に装着する場合、肩カバー１１を容器本体１の肩部３に押し込む際に、係合片１６が傾斜案内部１９を摺動して外方にスムーズに弾性変形し、係合片１６が係止部１５を簡単に乗り越えて係止部１５に係合する。
【０００８】
【発明の実施の形態】
以下、本発明の実施の形態について図を参照しながら説明する。
図１〜図８において、１は瓶、缶又は合成樹脂等で形成された容器本体で、容器本体１は、楕円形の筒状に形成された胴部２を有すると共に、その上端部に肩部３を介して小径の口部４が突設されている。容器本体１の肩部３は、胴部２に比べてやや細く形成されている。なお、口部４の外周には雄ねじ５が形成されており、この口部４に図示省略のキャップが着脱自在に螺合されるようになっている。
【０００９】
１１は肩カバーで、容器本体１とは異材質の合成樹脂その他により形成されている。肩カバー１１は容器本体１の胴部２に対応する楕円形状の天壁１２と該天壁１２の外周部から下方に突出した周壁１３とを有している。肩カバー１１の天壁１２に口部４に対応する挿通孔１４が設けられ、肩カバー１１は挿通孔１４を介して口部４に挿通されて、肩部３に外嵌装着されるようになっている。
口部４の基端側に係止部１５が外方突設されている。この係止部１５は口部４に径方向一対設けられている。肩カバー１１の挿通孔１４の開口縁部に、係合片１６が口部４の係止部１５に対応して一対設けられている。この係合片１６は、肩カバー１１の挿通孔１４の開口縁部に連結された基部１７と、挿通孔１４の開口縁部から切り離された状態で前記基部１７から挿通孔１４の開口縁に沿って円弧状に突出した係合部１８とを有している。
【００１０】
一対の係合片１６の各係合部１８は互いに口部４の径方向に対応しており、各係合部１８間の離間幅ａは、口部４の外径ｂよりも小に設定され、また係合片１６の係合部１８側が基部１７から弾性変形により外方に広がるように屈曲可能に構成されている。従って、肩カバー１１を容器本体１の肩部３に装着する際に、係合片１６（係合部１８）が、係止部１５を乗り越えて該係止部１５に下側から係合し、係合片１６は係止部１５と肩カバー１１の天壁１２との間に挟持された状態になり、肩カバー１１の容器本体１の肩部３への装着状態を保持するようになっている。
【００１１】
また、口部４の係止部１５の上側に、肩カバー１１を容器本体１の肩部３に装着する際に、係合片１６を外方に弾性変形させて係止部１５を乗り越えさせる傾斜案内部１９が設けられている。
上記実施の形態によれば、肩カバー１１を容器本体１の肩部３に装着する場合、肩カバー１１を、挿通孔１４を介して口部４に挿通して、容器本体１の肩部３に押し込めばよく、係合片１６が傾斜案内部１９を摺動して外方に弾性変形しながら係合片１６が係止部１５を上から下に乗り越えて該係止部１５に下側から係合する。
【００１２】
従って、容器を使用する前乃至使用する際には、係合片１６の係止部１５への係合によって、肩カバー１１は肩部３から不測に外れないように容器本体１に強固に保持されている。
そして、容器を使用した後にこの容器を廃棄等する際には、図２及び図８に示す如く係合片１６が係止部１５に下側から係合した状態から、例えば係合片１６の係合部１８の先端に指を引っ掛けて、図２及び図８に鎖線で示す如く係合片１６の係合部１６側を弾性変形により外方に屈曲して、係合片１６の係止部１５への係合を外し、この状態で肩カバー１１を肩部３から上方に引き抜けばよく、コインやマイナスドライバー等の特別の用具を用いることなく肩カバー１１を容器本体１から簡単に分離することができる。
【００１３】
【発明の効果】
本発明によれば、コインやマイナスドライバー等の特別の用具を用いることなく肩カバー１１を容器本体１から簡単に分離することができる。
また、肩カバー１１を容器本体１の肩部３に装着する場合、係合片１６の係止部１５への係合によって、肩カバー１１を容器本体１の肩部３に簡単かつ確実に装着することができる。
【図面の簡単な説明】
【図１】  本発明の一実施の形態を示す容器の分解斜視図である。
【図２】  同容器の斜視図である。
【図３】  同容器本体の平面図である。
【図４】  同肩カバーの平面図である。
【図５】  同容器の半欠側面断面図である。
【図６】  同容器の半欠正面断面図である。
【図７】  同肩カバーを容器本体に装着する前の位置関係を示す容器本体及び肩カバーの平面図である。
【図８】  同肩カバーを容器本体に装着した後の位置関係を示す図６のＣ−Ｃ線断面図である。
【図９】  従来例を示す容器の半欠側面断面図である。
【符号の説明】
１      容器本体
３      肩部
４      口部
１１      肩カバー
１４      挿通孔
１５      係止部
１６      係合片
１８      係合部
１９      傾斜案内部
【図１】
0004002656.tif 000002
【図２】
0004002656.tif 000003
【図３】
0004002656.tif 000004
【図４】
0004002656.tif 000005
【図５】
0004002656.tif 000006
【図６】
0004002656.tif 000007
【図７】
0004002656.tif 000008
【図８】
0004002656.tif 000009
【図９】
0004002656.tif 000010